(57)【要約】【課題】従来は濯済みの新しいシーツや枕カバー等を積んだキャスタ付のキャリアと、汚れたシーツや枕カバー等を回収するキャスタ付の回収バスケットが独立別個になっていたために、その扱いに不便であった。【解決手段】シーツキャリア１は、洗濯済みの新しいシーツや枕カバー等を収納する洗濯済みシーツ収納部２と、汚れたシーツや枕カバー等を収納する汚れシーツ収納部３と、を備えている。洗濯済みシーツ収納部２と汚れシーツ収納部３は、結合，分離可能になっていると共に、夫々にキャスタ４が設けられていて独自走行可能になっている。また、洗濯済みシーツ収納部３の最上部は作業台５になっている。【選択図】図１
2010012912.tif 000002
【特許請求の範囲】
【請求項１】
洗濯済みの新しいシーツや枕カバー等を収納する洗濯済みシーツ収納部と、汚れたシーツや枕カバー等を収納する汚れシーツ収納部と、を備え、
前記洗濯済みシーツ収納部と汚れシーツ収納部を結合、分離可能にし、これら洗濯済みシーツ収納部と汚れシーツ収納部に夫々キャスタを設けて独自走行可能にするとともに、前記洗濯済みシーツ収納部に作業台を設けたことを特徴とするシーツキャリア。
【請求項２】
前記洗濯済みシーツ収納部は、複数枚の棚板を上下に略並行に配置して複数本の支柱で連結し、最下部の棚板の下部にキャスタを取り付けることにより構成され、前記汚れシーツ収納部は、上端に開口部を有する有底円筒体の下部にキャスタを取り付けることにより構成されていることを特徴とする請求項１に記載のシーツキャリア。
【請求項３】
前記棚板は、略円形状に形成されていて、周縁の一部に前記汚れシーツ収納部の有底円筒体の曲率半径と略同じ曲率半径の円弧状切欠部を備えていることを特徴とする請求項２に記載のシーツキャリア。
【請求項４】
前記円弧状切欠部に前記有底円筒体の一部を嵌合した状態で前記汚れシーツ収納部と前記洗濯済みシーツ収納部を一体的に連結する連結部材を備えていることを特徴とする請求項３に記載のシーツキャリア。
【請求項５】
前記汚れシーツ収納部の開口部の高さを前記洗濯済みシーツ収納部の最上部の棚板よりも低位置に形成したことを特徴とする請求項２〜４のいずれかに記載のシーツキャリア。
【発明の詳細な説明】
【技術分野】
【０００１】
本発明は、病院やホテル等のベッドメーキングに際して、洗濯済みの新しいシーツや枕カバー等の運搬と、新しいシーツや枕カバー等と交換した汚れたシーツや枕カバー等の運搬を行なうシーツキャリアに関するものである。
【背景技術】
【０００２】
病院やホテル等のベッドメーキングは一般に以下のような手順で行なわれている。
（１）洗濯済みの新しいシーツや枕カバー等を積んだキャスタ付のキャリアと、汚れたシーツや枕カバー等を回収するキャスタ付の回収バスケットを部屋の前に運んで来る。
（２）前記キャリアから、洗濯済みの新しいシーツや枕カバー等を取り出して、ベッドまで持ってくる。
(３)ベッドや枕から汚れたシーツや枕カバーを取り外し、新しいシーツや枕カバーに交換する。交換作業は手じかにある椅子等を作業台として行なわれる。
(４）汚れたシーツや枕カバー等を部屋の前に置いてある回収バスケットに入れる。部屋の中の全てのベッドメーキングを終了したら、前記キャリアと回収バスケットを次の部屋の前まで運ぶ。
【発明の開示】
【発明が解決しようとする課題】
【０００３】
ところで、上記従来のベッドメーキングには次に述べるような問題点があった。（１）前記キャリアと回収バスケットは、独立別個のものとして構成されているので、これら２つのものを一緒に移動させるのが難しい。
（２）新しいシーツや枕カバー等をベッドまで持って来ても、汚れたシーツや枕カバー等と交換するまで、その置き場所に困ることがある。また、ベッドの手じかにある椅子等を作業台として交換作業を行う場合に、椅子等は作業台としては手狭のため交換作業を円滑に行うのが困難である。
（３）シーツや枕カバーを取り外す度に、これら取り外したシーツや枕カバーを部屋の外に置いてある回収バスケットに入れに行かなければならないため作業効率が悪い。
【０００４】
本発明の目的は、病院やホテル等のベッドメーキングの際に、洗濯済みの新しいシーツや枕カバー等の運搬と、汚れたシーツや枕カバー等の運搬を同時に容易に行なうことのできるシーツキャリアを提供することにある。
【０００５】
また、本発明の他の目的は、部屋内に搬入することにより作業台としても使用することのできるシーツキャリアを提供することにある。
【課題を解決するための手段】
【０００６】
請求項１の発明は、洗濯済みの新しいシーツや枕カバー等を収納する洗濯済みシーツ収納部と、汚れたシーツや枕カバー等を収納する汚れシーツ収納部と、を備えたシーツキャリアにおいて、前記洗濯済みシーツ収納部と汚れシーツ収納部を結合，分離可能にし、これら洗濯済みシーツ収納部と汚れシーツ収納部に夫々キャスタを設けて独自走行可能にするとともに、前記洗濯済みシーツ収納部に作業台を設けた。
【０００７】
請求項２の発明は、請求項１に記載のシーツキャリアにおいて、前記洗濯済みシーツ収納部を、複数枚の棚板を上下に略並行に配置して複数本の支柱で連結し、最下部の棚板の下部にキャスタを取り付けることにより構成し、前記汚れシーツ収納部を、有底円筒体の下部にキャスタを取り付けることにより構成した。
【０００８】
請求項３の発明は、請求項１又は請求項２に記載のシーツキャリアにおいて、前記棚板を略円形状に形成すると共に、周縁の一部に前記有底円筒体の曲率半径と略同じ曲率半径の円弧状切欠部を形成し、該円弧状切欠部に前記汚れシーツ収納部の有底円筒体の外周面の一部を嵌合可能にした。
【０００９】
請求項４の発明は、請求項３に記載のシーツキャリアにおいて、前記円弧状切欠部に前記有底円筒体の一部を嵌合した状態で前記汚れシーツ収納部と前記洗濯済みシーツ収納部を一体的に連結する連結部材を設けた。
【００１０】
請求項５の発明は、請求項２〜４のいずれかに記載のシーツキャリアにおいて、前記汚れシーツ収納部の開口部の高さを前記洗濯済みシーツ収納部の最上部の棚板よりも低位置に形成した。
【発明の効果】
【００１１】
（１）請求項１のシーツキャリアは、洗濯済みシーツ収納部と汚れシーツ収納部を結合することにより、両者を一緒に、且つ容易に移動させることができる。また、洗濯済みシーツ収納部に作業台を設けたので、その上で交換作業を行うことができる。
（２）請求項２のシーツキャリアは、２枚の棚板を上下に略並行に配置して複数本の支柱で連結し、最下部の棚板の下にキャスタを取り付けるという簡単な方法で独自走行可能な洗濯済みシーツ収納部を容易に形成することができる。また、有底円筒体の下部にキャスタを取り付けることにより独自走行可能な汚れシーツ収納部を容易に形成することができる。
（３）請求項３のシーツキャリアは、前記棚板に設けた円弧状切欠部に、前記有底円筒体の外周面の一部を嵌合することにより、連結した洗濯済みシーツ収納部と汚れシーツ収納部の間に位置ずれが起こるのを防止することができる。
（４）請求項４のシーツキャリアは、連結部材により洗濯済みシーツ収納部と汚れシーツ収納部を一体的に連結することができる。
（５）請求項５のシーツキャリアは、汚れシーツ収納部の開口部の高さを作業台として使用する最上部の棚板よりも低位置になるように形成したので、前記最上部の棚板に載せた汚れたシーツや枕カバー等を汚れシーツ収納部内に落とし込むことができる。
【発明を実施するための最良の形態】
【００１２】
図１、図２に示すように、本発明のシーツキャリア１は、洗濯済みの新しいシーツや枕カバー等を収納する洗濯済みシーツ収納部２と、汚れたシーツや枕カバー等を収納する汚れシーツ収納部３とからなっていて、これら洗濯済みシーツ収納部２と汚れシーツ収納部３は、図１に示すように一体的に連結可能に、或いは図２に示すように分離可能になっている。
【００１３】
前記洗濯済みシーツ収納部２と汚れシーツ収納部３は、夫々キャスタ４を備えていて独自走行可能になっている。前記洗濯済みシーツ収納部２は、上部に作業台５を備えている。
【００１４】
前記洗濯済みシーツ収納部２は、２枚の棚板６，７を上下に略並行に配置して４本の支柱８で連結し、下部の棚板７の下面から突出させた前記４本の支柱８の下端に前記キャスタ４を取り付けることにより構成されている。上部の棚板６は、作業台５として使用される。
【００１５】
前記棚板６，７は、アルコール消毒等に耐える素材で略円形状に形成されていると共に、周縁の一部に円弧状切欠部９が形成されている。
【００１６】
前記汚れシーツ収納部３は、上端に開口部１０を設けた有底円筒体１１に３本の脚部１２を設け、これら３本の脚部１２の下端に前記キャスタ４を取り付けることにより構成されている。前記作業台５としての棚板６の上面の周縁部には落下防止柵１３が設けられている。前記落下防止柵１３は、棚板６の上面に載せたものが落下するのを防止する。前記落下防止柵１３は、図１等に示すように棚板６の全周に亘って設けてもよいが、必ずしも全周に亘って設ける必要は無く、前記円弧状切欠部９の部分を切除して、該切除部分から汚れたシーツ等を汚れシーツ収納部３に落とし込み易くしてもよい。
【００１７】
図３に示すように、前記汚れシーツ収納部３の高さＨ１は、前記作業台５として使用される棚板６の高さＨ２よりも若干低めに形成されている。
【００１８】
前記円弧状切欠部９と前記有底円筒体１１は、略同じ曲率半径に形成されていて、下部の棚板７の円弧状切欠部９に前記有底円筒体１１の外周面の一部が嵌合可能になっていると共に、上部の棚板６の円弧状切欠部９の下方に前記有底円筒体１１の開口部１０が位置するようになっている。前記開口部１０は、蓋（図示省略）によって開閉可能になっている。
【００１９】
前記洗濯済みシーツ収納部２は、前記円弧状切欠部９に前記有底円筒体１１の外周面の一部を嵌合した状態で、汚れシーツ収納部３を洗濯済みシーツ収納部２に一体的に連結する連結部材１４を備えている。
【００２０】
前記連結部材１４は、前記洗濯済みシーツ収納部２の支柱８に一端が取り付けられたバンド１５と、該バンド１５の先端に取り付けられた洗濯鋏み等のクリップ１６と、からなっている。そして、前記円弧状切欠部９に前記有底円筒体１１の外周面の一部を嵌合した前記汚れシーツ収納部３の脚部１２をクリップ１６で鋏むことにより前記汚れシーツ収納部３を洗濯済みシーツ収納部２に一体的に連結される。前記バンド１５は、ゴム紐等の伸縮性を有する素材で形成されていて、その収縮力を利用して前記汚れシーツ収納部３を洗濯済みシーツ収納部２に押し付けている。
【００２１】
次に、本発明のシーツキャリア１の使用方法の一例を説明する。前記連結部材１４を使用して洗濯済みシーツ収納部２と汚れシーツ収納部３を一体的に連結すると共に、前記洗濯済みシーツ収納部２の下部の棚板７の上に洗濯済みの新しいシーツや枕カバー等を載せる。そして、前記連結部材１４で連結した洗濯済みシーツ収納部２と汚れシーツ収納部３をキャスタ４で一緒に走行させて病室内に搬入する。
【００２２】
洗濯済みシーツ収納部２と汚れシーツ収納部３を一体的に連結されているので、洗濯済みシーツ収納部２と汚れシーツ収納部３を別々に搬入する場合に較べて場所を取らないので、部屋内への搬入が容易になる。
【００２３】
部屋内に搬入したら上部の棚板６を作業台５として使用してシーツや枕カバー等の交換作業を行う。例えば、棚板６の上で枕から枕カバーを取り外し、取り外した枕カバーを棚板６の側方に位置する汚れシーツ収納部３内に投入し、棚板７に載置されている洗濯済みの枕カバーを枕に取り付ける。
【００２４】
一つの部屋で交換作業が終了したら、次の部屋に移動して交換作業を行う。そして、全ての部屋の交換作業を終了したら、洗濯済みシーツ収納部２から汚れシーツ収納部３を分離して、該汚れシーツ収納部３をランドリー施設に搬送する。
【００２５】
なお、上記実施例では、汚れシーツ収納部３を２枚の棚板６，７で形成した場合を示したが、３枚以上の棚板を使用して汚れシーツ収納部３を形成してもよい。また、上記実施例では、連結部材１４をバンド１５とクリップ１６で形成した場合を示したが、連結部材１４は実施例のものに限定されず、連結部材１４をベルトとバックルで構成し、ベルトを汚れシーツ収納部３に巻きつけてバックルで止める構成にしてもよく、要は、洗濯済みシーツ収納部２と汚れシーツ収納部３を確実、容易に連結し、または連結を解除できるものであればよい。
【図面の簡単な説明】
【００２６】
【図１】洗濯済みシーツ収納部と汚れシーツ収納部を一体的に連結した状態の斜視図、
【図２】洗濯済みシーツ収納部と汚れシーツ収納部を分離した状態の斜視図。
【図３】図１の側面図。
【符号の説明】
【００２７】
１…シーツキャリア
２…洗濯済みシーツ収納部
３…汚れシーツ収納部
４…キャスタ
５…作業台
６…棚板
７…棚板
８…支柱
９…円弧状切欠部
１０…開口部
１１…有底円筒体
１２…脚部
１３…落下防止柵
１４…連結部材
１５…バンド
１６…クリップ
【図１】
2010012912.tif 000003
【図２】
2010012912.tif 000004
【図３】
2010012912.tif 000005